(57)【特許請求の範囲】
【請求項１】
陰極室と、陽極室と、陰極室と陽極室との間を仕切る隔膜とを備えると共に、陰極室に配設された電極と陽極室に配設された電極とが隔膜を介して対向して設けられた電解槽を具備し、各電極に棒状の給電用の端子を接続して設けると共に、この端子の中心軸を、電極の厚み方向の中心に対して電極同士の対向面とは反対側に位置させて成ることを特徴とする電解水生成装置。
【請求項２】
端子を、端子が接続された電極の対向面側に突出しないように設けて成ることを特徴とする請求項１記載の電解水生成装置。
【請求項３】
端子の端部に電極の縁部を挟持するように電極に嵌合する切れ込み状の嵌合部を形成し、この嵌合部にて端子と電極とが嵌合した状態で端子と電極とが電気的及び機械的に接続されていることを特徴とする請求項１に記載の電解水生成装置。
【請求項４】
端子の端部に電極の縁部と係合して接続位置の位置決めをする切り欠き状の係合部を形成し、この係合部にて端子と電極とが係合した状態で端子と電極とが電気的及び機械的に接続されていることを特徴とする請求項１又は２に記載の電解水生成装置。
【請求項５】
電極は、他の電極との対向面側とその反対側とにそれぞれ突出するように屈曲成形されてその突出面とは反対側の面において端子を支持する一列の複数の支持部からなる挿入部を有し、各支持部にて端子が支持されるようにして挿入部に端子を挿入した状態で端子と電極とが電気的及び機械的に接続されていることを特徴とする請求項１又は２に記載の電解水生成装置。
【請求項６】
電極は、他の電極との対向面の反対側に突出するように屈曲成形されてその突出面とは反対側の面において端子を支持する支持部と、他の電極との対向面に向けて突出しないように形成されると共に他の電極との対向面の反対側の面にて端子を支持する支持部とが一列に複数個形成された挿入部を有し、各支持部にて端子が支持されるようにして挿入部に端子を挿入した状態で端子と電極とが電気的及び機械的に接続されていることを特徴とする請求項２に記載の電解水生成装置。
【発明の詳細な説明】
【０００１】
【発明の属する技術分野】
本発明は水道水、井戸水等を電気分解して、アルカリイオン水と酸性イオン水を生成するように構成した電解槽を具備する電解水生成装置に関するものである。
【０００２】
【従来の技術】
従来のアルカリイオン整水器のような電解水生成装置に用いられる電解槽は、陰極室と陽極室を電解隔膜（又は、隔壁）で仕切り、陽極室内部と陰極室内部に電解隔膜を介して電極を配設して構成される。このような電解槽はその構造により二つの方式に分類される。一つは、電解槽が生成したアルカリイオン水や酸性水を保存するタンクを兼用するバッチ式のもの（例えば実開昭５０−６４６４３号公報に開示）であり、もう一つは連続式である。
【０００３】
前記二つの方式の中で、後者の連続式が連続してイオン水が得られる便利さから、浄水機能を付加することも併せて主流となっている。従来のアルカリイオン整水器に用いられる連続式の電解槽はいずれも電解槽の流入口から供給した水を電解隔膜で仕切られた陰極室と陽極室に通しながら電気分解し、電解槽の陰極室側からアルカリイオン水、陽極室側から酸性イオン水を生成するように構成されている（例えば特開昭５５−１８２２号公報に開示）。
【０００４】
このような連続式の電解槽としては、短時間で効率よくｐＨの大きいアルカリイオン水やｐＨの小さい酸性イオン水を生成するため、あるいは小型化を図るために、種々の流水式の電解槽が提案されている。流水式の電解槽の代表的なものは構造で分類すると以下のものがある。
【０００５】
（１）ユニットセル方式；電解槽本体の箱（セル）と内部に隔膜付き隔膜箱があり、隔膜箱が陽極室１０（又は陰極室９）で、隔膜箱の外部が陰極室（又は陽極室）で構成される方式（例えば実開平２−９５５８９号公報、特開平３−３８２９３合公報に開示）。
【０００６】
（２）フィルタープレス方式；電極板と電解隔膜が交互に積層され、電極板を陰極と陽極が交互になるように構成された方式（例えば特公昭５５−１３７９５号公報に開示）。
【０００７】
（３）円筒方式；陰極室と陽極室が電解隔膜を介して２重円筒形状で構成される方式（例えば実開昭５５−１４１５９４号公報、実開昭５５−１４４５９号公報、特開昭６４−２７６８８号公報に開示）。
【０００８】
また、近年、電解槽に関して小型化と高効率化を図る工夫として、例えば流路構造の工夫、電極及び電解隔膜材料、または電極形状や配置に着目したものが一般に提案されている。そのうちの一つである電極配置については、電極間の距離を短くすることにより電解効率が向上することが一般的に知られており、様々な提案がなされている。
【０００９】
例えば、特開平７−２２２９７８号公報で開示されているものでは、電解槽の一端側に給水ノズルを、他端側に酸性水排水ノズルとアルカリイオン水排水ノズルとをそれぞれ設け、電解槽内の給水ノズルに連通してプール室を形成し、プール室から流入水下流側部位に、水の流路断面積を狭くする複数の排水溝を設けることにより、電解槽内の電極問に流れる水道水を均一な等しい流量で流し、しかも電極間隔を精度よく狭くすることによって電解効率を向上させると共に小型化を図るようにしている。
【００１０】
また、特開平７−２８４７７３号公報で開示されているものでは、陰極と陽極として電解時に発生する気泡を透過可能な透過口を多数備えた多孔性の板状電極を採用して、これら両電極を電解槽内にて互いに接近して配設するとともに、これら両電極の互いに対向する側とは反対側の両部位に被処理水が流通する主流路を形成することで、両極問での気泡の滞留を解消し、両電極間の間隔を可能な限り接近させることにより電解効率を向上させると共に電極の劣化を防止するようにしている。
【００１１】
また、特開平７−２９００５８号公報で開示されているものでは、隔膜を支持し、且つ原水供給孔及び一対の電解水排出孔を有する隔膜体と、その隔膜体の原水供給孔及び一対の電解水排出孔にそれぞれ対応する供給孔及び一対の排出孔を有する電極とを重合した水電解装置において、電極に設けた供給通水孔もしくは排出通水孔の形状に改良を加えることで、隔膜体のフレームの厚みを小さくして電極問距離を極力減少させ、しかも電解効率を向上させるようにしている。
【００１２】
【発明が解決しようとする課題】
しかしながら、上記のような従来技術では電解槽の構造が複雑となり、また電極に接続されている給電用の端子の存在により電極間の距離を短くすることが困難となり、また本体ハウジングの水密性の確保等の構造上の制約から端子の形状が複雑となって組立作業がしにくいという問題点がある。
【００１３】
例えば、図１１（ａ）に示すように、対向して配置される電極６，７の端縁に、給電用の端子５を電極６，７の外縁側に向けて突出するように設けて、この電極６，７を，図９に示すように電解槽のハウジングである電解槽ケース１内に配設することにより、電解槽を形成する場合には、電極６，７間の距離を短くすると図１１（ｂ）に示すように端子５の突出部分が対向する電極６，７と干渉してしまって、電極６，７間の距離に制約が生じ、またこのような状態で電極６，７間の距離を短縮しようとすると図１１（ｃ）に示すように電極６，７を湾曲させて端子５と干渉しないようにする必要があり、電解槽の組立作業に手間がかかってしまい、また電極６，７の湾曲作業時には電極６，７の電解面に触れる必要があって、電解面の汚染や破損が生じるおそれがあった。
【００１４】
本発明は上記の点に鑑みて為されたものであり、給電用の端子の存在が電極間距離の短縮化を阻害することがなく、電極間の距離を近接して配置することができ、電解効率を向上させるとともに、小型化が図れ、簡単な構造を有する電解槽を具備する電解水生成装置を提供することを目的とするものである。
【００１５】
【課題を解決しようとする手段】
本発明の請求項１に係る電解水生成装置は、陰極室９と、陽極室１０と、陰極室９と陽極室１０との間を仕切る隔膜８とを備えると共に、陰極室９に配設された電極６と陽極室１０に配設された電極７とが隔膜８を介して対向して設けられた電解槽を具備し、各電極６，７に棒状の給電用の端子５を接続して設けると共に、この端子５の中心軸を、電極６，７の厚み方向の中心に対して電極６，７同士の対向面とは反対側に位置させて成ることを特徴とするものである。
【００１６】
また請求項２の発明は、請求項１において、端子５を、端子５が接続された電極６，７の対向面側に突出しないように設けて成ることを特徴とするものである。
【００１７】
また請求項３の発明は、請求項１において、端子５の端部に電極６，７の縁部を挟持するように電極６，７に嵌合する切れ込み状の嵌合部５１を形成し、この嵌合部５１にて端子５と電極６，７とが嵌合した状態で端子５と電極６，７とが電気的及び機械的に接続されていることを特徴とするものである。
【００１８】
また請求項４の発明は、請求項１又は２において、端子５の端部に電極６，７の縁部と係合して接続位置の位置決めをする切り欠き状の係合部５２を形成し、この係合部５２にて端子５と電極６，７とが係合した状態で端子５と電極６，７とが電気的及び機械的に接続されていることを特徴とするものである。
【００１９】
また請求項５の発明は、請求項１又は２において、電極６，７は、他の電極６，７との対向面側とその反対側とにそれぞれ突出するように屈曲成形されてその突出面とは反対側の面において端子５を支持する一列の複数の支持部５５からなる挿入部５３を有し、各支持部５５にて端子５が支持されるようにして挿入部５３に端子５を挿入した状態で端子５と電極６，７とが電気的及び機械的に接続されていることを特徴とするものである。
【００２０】
また請求項６の発明は、請求項２において、電極６，７は、他の電極６，７との対向面の反対側に突出するように屈曲成形されてその突出面とは反対側の面において端子５を支持する支持部５５と、他の電極６，７との対向面に向けて突出しないように形成されると共に他の電極６，７との対向面の反対側の面にて端子５を支持する支持部５５とが一列に複数個形成された挿入部５３を有し、各支持部５５にて端子が支持されるようにして挿入部５３に端子５を挿入した状態で端子５と電極６，７とが電気的及び機械的に接続されていることを特徴とするものである。
【００２１】
【発明の実施の形態】
以下、本発明の実施の形態を詳細に説明する。
【００２２】
本発明にかかる電解水生成装置は、水の電解により酸性イオン水やアルカリイオン水等の電解水を生成するものであり、また電解に供される水を浄化する浄水装置や、電解効率を向上する等の目的のために添加剤を水に添加する添加剤供給装置等を設けることもできる。これらの装置構成については、従来から用いられている電解水生成装置の一般構成を採用することができるため、詳しい説明を省略し、本発明の特徴である電解槽の構成について詳しく説明する。
【００２３】
図１，２に示される電解槽は、ユニットセル型に形成されており、この電解槽は、本体容器を兼ねると共に陰極室９側セルとなる電解槽ケース１と、前記電解槽内部に設けられた陽極室１０側セルとなる隔膜ケース１１と、電極６及び電極７で構成されている。
【００２４】
電解槽ケース１は平板中空状のハウジングにて構成されており、その一端には陰極室９及び陽極室１０に連通する流入口２が設けられ、他端には陰極室９に連通する陰極側流出口３と、陽極室１０に連通する陽極側流出口４がそれぞれ設けられている。
【００２５】
隔膜ケース１１は平板状の樹脂製の支持体１２と、支持体１２と間隔をあけて対向して配置された電解隔膜８とから構成され、隔膜ケース１１の周縁部においては支持体１２と電解隔膜８との間が超音波溶着等により水密的に閉塞されている。この隔膜ケース１１内が陽極室１０として形成される。この隔膜ケース１１は電解槽ケース１の内側において、電解槽ケース１の内面と隔膜ケース１１の外面との間に隙間が空いた状態で配設されている。隔膜ケース１１内には、陽極となる平板状の電極７が、支持体１２の内面に沿って配設され、これにより電極７が電解隔膜８と隙間を空けて対向した状態で設けられる。このとき隔膜ケース１１の外面と電解槽ケース１の内面との隙間からなる空間が、陰極室９を構成する。
【００２６】
また、陰極室９内には、隔膜ケース１１における電解隔膜８の外面と、電解槽ケース１の内面との間に、陰極となる平板状の電極６が電解隔膜８と隙間をあけて対向するように配設されている。これにより、陰極となる電極６と陽極となる電極７とが電解隔膜８を介して対向して設けられている。
【００２７】
隔膜ケース１１の一端縁には、陰極流入口１８が開口されており、この陰極流入口１８は、電解槽ケース１の内面における流入口２の開口と近接して対向する位置に形成される。
【００２８】
電極７の一端縁部には棒状の端子５が接続される。この端子５は一端側が電極７と接続されると共に他端側が電極７の外縁側に向けて突出して隔膜ケース１１及び電解槽ケース１を貫通するように配設され、他端側が電解槽ケース１の外側に配置される。このとき電解槽ケース１における端子５が挿通される挿通孔２１内には端子５外面と挿通孔２１内面との隙間にＯリング１７が介装されて、水密性が確保されている。またこの挿通孔２１は電解槽ケース１の内面から隔膜ケース１１に向けて突出する突出部２２を介して直接隔膜ケース１１内に連通しており、この突出部２２は隔膜ケース１１の支持体１２と一体に形成されて、この突出部２２により隔膜ケース１１が電解槽ケース１内に支持されている。
【００２９】
この電極７に接続された端子５の、電解槽ケース１の外方に突出する他端側には、外面に螺子溝が形成されると共に二つのナット１５が螺合されており、この二つのナット１５の間にはリード線１６の一端が挟持され、これにより端子５とリード線１６とが電気的に接続されている。このリード線１６の他端は、電源に接続される。
【００３０】
また隔膜ケース１１の他端部には、隔膜ケース１１内に連通する隔膜ケース流出口２０が形成された連通部材１９が設けられている。この連通部材１９は電解槽ケース１の内面に固定され、この連通部材１９によっても、隔膜ケース１１が電解槽ケース１内に支持されている。またこの連通部材１９は隔膜ケース流出口２０が電解槽ケース１の陰極流出口４と連通するように設けられ、これにより陰極室９内が陰極側流出口３と連通している。このとき連通部材１９の先端部は陰極側流出口３における電解槽ケース１の内面側の開口に挿入されると共に、その隙間にはＯリング１７が介装されて水密性が確保されている。
【００３１】
また、電極６の一端縁部には棒状の端子５が接続される。この端子５は一端側が電極６と接続されると共に他端側が電極６の外縁側に向けて突出して電解槽ケース１を貫通するように配設され、他端側が電解槽ケース１の外側に配置される。このとき電解槽ケース１における端子５が挿通される挿通孔２３内には端子５外面と挿通孔２３内面との隙間にＯリング１７が介装されて、水密性が確保されている。
【００３２】
この電極６に接続された端子５の、電解槽ケース１の外方に突出する他端側には、外面に螺子溝が形成されると共に二つのナット１５が螺合されており、この二つのナット１５の間にはリード線１６の一端が挟持され、これにより端子５とリード線１６とが電気的に接続されている。このリード線１６の他端は、電源に接続される。
【００３３】
本発明の電解水生成装置にて電解水を生成するにあたっては、原水は流入口２から電解槽内に流入し、陰極室９内に供給されると共に、流入口１８を通じて陽極室１０内にも供給される。この状態で、電源によりリード線１６及び端子５を介して電極６，７間に電圧を印加すると、原水の電気分解により、陰極室９内ではアルカリイオン水が、陽極室１０内では酸性イオン水が生成する。陰極室９内のアルカリイオン水は陰極側流出口３から電解槽外に流出し、また陽極室１０内の酸性イオン水は、隔膜ケース流出口２０を介して陽極側流出口４から流出する。
【００３４】
上記に例示されたような、電極６と電極７とが隔膜８を介して対向して配設される電解槽において、本発明では、各電極６，７に棒状の端子５を、その中心軸が電極６，７の厚み方向の中心よりも電極６，７の対向面とは反対側に位置するように接続するものである。
【００３５】
すなわち、上記の図示の例では、陰極となる電極６に接続された端子５の中心軸は、この電極６の厚み方向の中心に対して、対向面側（すなわち陽極となる電極７が配置されている側）とは反対側に配置されるものであり、これにより、電極６の対向面側への端子５の突出寸法と、電極６の対向面とは反対側への端子５の突出寸法とでは、後者の方が前者よりも小さくなる。
【００３６】
また、陽極となる電極７に接続された端子５の中心軸は、この電極７の厚み方向の中心に対して、対向面側（すなわち陰極となる電極６が配置されている側）とは反対側に配置されるものであり、これにより、電極７の対向面側への端子５の突出寸法と、電極７の対向面とは反対側への端子５の突出寸法とでは、後者の方が前者よりも小さくなる。
【００３７】
このため、図１０に示すように、各電極６，７から対向する電極６，７に向けての、端子５の突出寸法が小さくなり、端子５の突出により電極６，７間の距離が規制されることを防止して電極６，７間の距離を短くし、電解効率を向上させることができるものである。
【００３８】
また、電解槽組立時には、図９に示すように、端子５を設けた電極６，７を電解槽ケース１内に、端子５が電解槽ケースの挿通孔２１，２３に挿通されるようにして組み込むものであるが、このとき、電極６，７と端子５との間の干渉を防止するために電極６，７を湾曲させるような必要がなく、電極面に触れる必要がなくなって、電極６，７の端縁のみを保持して電解槽ケース１に組み込むことができ、電極面の汚染や破損の発生を防止することができるものであり、また組立作業も容易なものとなる。
【００３９】
上記のような構成の電解槽においては、電極６と電極７との間の間隔を１．６〜３．０ｍｍの範囲となるように形成することが好ましい。この電極６，７間の距離が３．０ｍｍ以下であることで、電解効率の向上や電解槽の小型化が図れるものであり、また電極６，７間の距離が１．６ｍｍ以上であることで、電解過程において電解槽内に気泡が発生して電極６，７や隔膜８に付着しても、この気泡が電極６，７と隔膜８との間に引っかからないようにして、電解槽内に流通する水流にてこの気泡が容易に除去されるものであり、気泡の付着による電解効率の低下を防止することができるものである。尚、図１０中では隔膜ケース１１の図示を省略している。
【００４０】
例えば、同一の原水を動水圧０．１ＭＰａで電解槽内に流入させる場合に、電極６，７間の距離を変更した場合の電解効率の変化を測定した一例を挙げると、電極６，７間の距離が２．５ｍｍである場合には、電解効率が１６．１％であり、電極６，７間の距離が３．２５ｍｍである場合には１１．７％となって、電極６，７間の距離を小さくして３．０ｍｍ以下とした方が、より電解効率が向上するものである。ここで電解効率は、単位電流あたりに生成したＯＨ-イオンの割合を示すものであり、次の式（１）で定義される。
【００４１】
ξ＝（ｗ’／ｗ）×１００      （１）
ξ：電解効率（％）
ｗ：ファラデーの法則に基づく物質移動量（ｇ）
ｗ’：実際の物質移動量（ｇ）
図３に示す例では、端子５の一端部に、縦方向（軸方向）の切れ込み状の嵌合部５１が形成されている。この嵌合部５１は、端子５を中心軸と直交する方向に貫通すると共に端子５の軸方向の一方向に開口するものであり、端子５の中心軸から、中心軸と直交し且つ嵌合部５１の貫通方向と直交する方向にずれた位置に形成される。またこの嵌合部５１の幅は、端子５が接続される電極６，７の厚みと略同一に形成される。
【００４２】
電極６，７と端子５との接続は、電極６，７の縁部を端子５の嵌合部５１にて挟持するように嵌合させて行われる。このとき端子５と電極６，７との間に電気溶接等を施すことにより、端子５と電極６，７とが機械的及び電気的に確実に接続される。
【００４３】
このようにして電極６，７と端子５とを接続すると、端子５の中心軸は電極６，７の厚み方向の中心に対して、対向面側（すなわち他の電極６，７が配置されている側）とは反対側に配置され、これにより、電極６，７の対向面側への端子５の突出寸法が、電極６，７の対向面とは反対側への端子５の突出寸法よりも小さく形成される。
【００４４】
図４に示す例では、端子５の一端部に、中心軸と平行な平面と中心軸と直交する方向の平面とで切り欠いた形状を有する切欠部５２が形成されている。
【００４５】
電極６，７と端子５との接続時には、端子５の切欠部５２における中心軸と平行な面を電極６，７の対向面とは反対側の面に当接すると共に、切欠部５２における中心軸とは垂直な面を電極６，７の端縁に当接させることにより、電極６，７の縁部を端子５の切欠部５２と係合させて接続位置の位置決めをする。このとき、端子５の中心軸は電極６，７の厚み方向の中心に対して、対向面とは反対側に配置されるように切欠部５２を形成する。この状態で端子５と電極６，７との間に電気溶接等を施すことにより、端子５と電極６，７とが機械的及び電気的に確実に接続される。
【００４６】
このようにして電極６，７と端子５とを接続すると、端子５の中心軸は電極６，７の厚み方向の中心に対して、対向面側（すなわち他の電極６，７が配置されている側）とは反対側に配置され、これにより、電極６，７の対向面側への端子５の突出寸法を、電極６，７の対向面とは反対側への端子５の突出寸法よりも小さく形成される。
【００４７】
特に、切欠部５２の軸方向とは直交する方向の深さ寸法を、端子５が接続される電極６，７の厚みと同一か、それよりも小さくなるように形成すると、電極６，７の対向面側には端子５が突出しないように形成されるものである。
【００４８】
図５に示す例では、電極６，７の縁部に、端子５の一端側が挿入される挿入部５３を設ける。この電極６，７の縁部には、複数の矩形状の開口５４が間隔をあけて電極６，７の内側から外縁側に一列に形成されており、隣り合う開口５４の間と、最も外縁側に形成された開口５４の更に外縁側とに、帯状の支持部５５が形成されている。これにより、支持部５５は電極６，７の内側から外縁側に一列に形成されており、その配列方向と直交する方向の両側端部にて電極６，７と一体となっており、配列方向の両端部は電極６，７から切り離された状態となっている。図示の例では、開口５４は三個形成され、これにより支持部５５が三個形成されている。そして、これらの一列に形成された複数の支持部５５を、順次、対向面側とその反対側とに交互に弧状に突出するように屈曲成形し、これにより挿入部５３が形成される。このとき対向面側に突出する支持部５５ａの突出寸法よりも、その反対側に突出する支持部５５ｂの突出寸法の方が大きくなるように形成する。図中では、一列に形成された三個の支持部５５ａ，５５ｂのうち両側の二つの支持部５５ａが対向面側に突出し、この支持部５５ａに挟まれた一つの支持部５５ｂが対向面とは反対側に突出するように形成されている。
【００４９】
電極６，７と端子５との接続は、各支持部５５の内側（突出方向とは反対側）に端子５が配置されるようにして、電極６，７の挿入部５３に端子５を挿入することにより行われる。このとき、端子５の外面は各支持部５５の突出面とは反対側の面に沿って配置されて各支持部５５にて支持される。この状態で、端子５と挿入部５３との間に電気溶接等を施すことにより、端子５と電極６，７とが機械的及び電気的に確実に接続される。
【００５０】
このようにして電極６，７と端子５とを接続すると、端子５の中心軸は電極６，７の厚み方向の中心に対して、対向面側（すなわち他の電極６，７が配置されている側）とは反対側に配置され、これにより、電極６，７の対向面側への端子５の突出寸法を、電極６，７の対向面とは反対側への端子５の突出寸法よりも小さく形成される。
【００５１】
図６に示す例では、図５に示す場合と同様に電極６，７に複数の支持部５５からなる挿入部５３を設ける。そして、これらの一列に形成された複数の支持部５５のうち、一つおきの支持部５５ｃを対向面側とは反対側に突出するように弧状に屈曲すると共に、残りの支持部５５ｄには屈曲成形を施さないようにして他の電極６，７との対向面に向けて突出しないようにし、これにより挿入部５３が形成される。図中では、一列に形成された三個の支持部５５のうち両側の二つの支持部５５ｃが対向面側とは反対側に突出し、この支持部５５ｃに挟まれた一つの支持部５５ｄには屈曲成形を施さないようにしている。
【００５２】
電極６，７と端子５との接続は、各支持部５５の内側（突出方向とは反対側）に端子５が配置されるようにして、電極６，７の挿入部５３に端子５を挿入することにより行われる。このとき端子５の外面は支持部５５ｃの突出面とは反対側の面に沿って配置されると共に、支持部５５ｄの、他の電極６，７との対向面の反対側の面に沿って配置されて、各支持部５５にて支持される。この状態で端子５と電極６，７との間に電気溶接等を施すことにより、端子５と電極６，７とが機械的及び電気的に確実に接続される。
【００５３】
これにより、電極６，７に接続された端子５は、対向面とは反対側に突出すると共に、対向面側には突出しないように形成されるものである。
【００５４】
ところで、上記に示した実施形態においては、流入口２が形成されている側の端部において、電極６に接続された端子５が電極６の一側部に形成されて流入口２の一側方に配置されると共に電解槽ケース１の一端側の外方に向けて突出している。また電極７に接続された端子５が電極７の他側部に形成されて流入口２の他側方に配置されると共に電解槽ケース１の一端側の外方に向けて突出している。これにより流入口２から電解槽内に流入する水の流れが端子５によって阻害されないようになっている。
【００５５】
端子５の位置は上記のようなものには限られないが、電解槽内における水の流れを阻害しない位置に設けることが好ましい。例えば、図７に示すものでは、流入口２が形成されている側の電極６，７の側縁部において、端子５が電極６，７の側方に突出するように設けられているものであり、また図８に示すものでは、端子５が流出口３，４側の端部において、電解槽ケース１の他端側の外方に向けて突出している。このようにして、電解槽内に流入した水の流れを阻害することがない流路構造を形成できる。
【００５６】
また、上述の実施形態では、流水系の電解槽を開示したが、このような形態に限定されるものではなく、電解槽をバッチ式に形成しても良い。
【００５７】
【発明の効果】
上記のように本発明の請求項１に係る電解水生成装置は、陰極室と、陽極室と、陰極室と陽極室との間を仕切る隔膜とを備えると共に、陰極室に配設された電極と陽極室に配設された電極とが隔膜を介して対向して設けられた電解槽を具備し、各電極に棒状の給電用の端子を接続して設けると共に、この端子の中心軸を、電極の厚み方向の中心に対して電極同士の対向面とは反対側に位置させているため、電極と端子の構成を簡便化すると共に、各電極から対向する電極に向けての、端子の突出寸法を小さく形成することができ、端子の突出により電極間の距離が規制されないようにして、電極間の距離を短くし、電解効率を向上させると共に電解槽の小型化を図ることができるものである。
【００５８】
また請求項２の発明は、請求項１において、端子を、端子が接続された電極の対向面側に突出しないように設けているため、端子の突出により電極間の距離が規制されることが全くなくなり、電極間の距離を更に短くし、電解効率を向上させると共に電解槽の小型化を図ることができるものである。
【００５９】
また請求項３の発明は、請求項１において、端子の端部に電極の縁部を挟持するように電極に嵌合する切れ込み状の嵌合部を形成し、この嵌合部にて端子と電極とが嵌合した状態で端子と電極とが電気的及び機械的に接続されているため、電極と端子との接続構造を簡便化することができるものである。
【００６０】
また請求項４の発明は、請求項１又は２において、端子の端部に電極の縁部と係合して接続位置の位置決めをする切り欠き状の係合部を形成し、この係合部にて端子と電極とが係合した状態で端子と電極とが電気的及び機械的に接続されているため、電極と端子との接続構造を簡便化することができるものである。
【００６１】
また請求項５の発明は、請求項１又は２において、電極は、他の電極との対向面側とその反対側とにそれぞれ突出するように屈曲成形されてその突出面とは反対側の面において端子を支持する一列の複数の支持部からなる挿入部を有し、各支持部にて端子が支持されるようにして挿入部に端子を挿入した状態で端子と電極とが電気的及び機械的に接続されているため、電極と端子との接続構造を簡便化することができるものである。
【００６２】
また請求項６の発明は、請求項２において、電極は、他の電極との対向面の反対側に突出するように屈曲成形されてその突出面とは反対側の面において端子を支持する支持部と、他の電極との対向面に向けて突出しないように形成されると共に他の電極との対向面の反対側の面にて端子を支持する支持部とが一列に複数個形成された挿入部を有し、各支持部にて端子が支持されるようにして挿入部に端子を挿入した状態で端子と電極とが電気的及び機械的に接続されているため、電極と端子との接続構造を簡便化することができるものである。
【図面の簡単な説明】
【図１】電解槽の構成を示すものであり、（ａ）は縦断面図、（ｂ）は（ａ）のイ部分の拡大図である。
【図２】同上の電解槽の一部破断した正面図である。
【図３】電極及び端子の構成の一例を示すものであり、（ａ）は正面図、（ｂ）は側面図、（ｃ）は端子の斜視図である。
【図４】電極及び端子の構成の他例を示すものであり、（ａ）は側面図、（ｂ）は端子の斜視図である。
【図５】電極及び端子の構成の更に他例を示すものであり、（ａ）は正面図、（ｂ）は側面図、（ｃ）は底面図である。
【図６】電極及び端子の構成の更に他例を示すものであり、（ａ）は側面図、（ｂ）は底面図である。
【図７】電極及び端子の構成の更に他例を示す正面図である。
【図８】電極及び端子の構成の更に他例を示す正面図である。
【図９】電解槽の組立工程を示す一部判断した概略の斜視図である。
【図１０】本発明における電極と端子との配置状態を示す平面図である。
【図１１】従来における電極と端子との配置状態を示すものであり、（ａ）は側面図、（ｂ）は平面図、（ｃ）は他の例の平面図である。
【符号の説明】
５  端子
６  電極
７  電極
８  隔膜
９  陰極室
１０  陽極室
５１  嵌合部
５２  係合部
５３  挿入部
５５  支持部
【図１】
0003849470.tif 000002
【図２】
0003849470.tif 000003
【図３】
0003849470.tif 000004
【図４】
0003849470.tif 000005
【図５】
0003849470.tif 000006
【図６】
0003849470.tif 000007
【図７】
0003849470.tif 000008
【図８】
0003849470.tif 000009
【図９】
0003849470.tif 000010
【図１０】
0003849470.tif 000011
【図１１】
0003849470.tif 000012